(57)【要約】【課題】比較的簡単な構成であって、保管場所をとらず、かつ、持ち運びが容易な薬剤散布装置を提供することを課題とする。【解決手段】薬剤Ｌを被施術者の頭部に散布するためのノズル１と、上記ノズル１から散布された後の薬剤Ｌを回収して貯留することのできるサーバタンク２と、上記サーバタンク２内に貯留された薬剤Ｌを上記ノズル１へと送るための循環手段３とを備え、サーバタンク２及び循環手段３は、洗髪台に対して、取り付け及び取り外し自在とされたことを特徴とする、頭部に対する薬剤散布装置を提供する。【選択図】          図１
2006000441.tif 000002
【特許請求の範囲】
【請求項１】
薬剤（Ｌ）を被施術者の頭部に散布するためのノズル（１）と、
上記ノズル（１）から散布された後の薬剤（Ｌ）を回収して貯留することのできるサーバタンク（２）と、
上記サーバタンク（２）内に貯留された薬剤（Ｌ）を上記ノズル（１）へと送るための循環手段（３）とを備え、
サーバタンク（２）及び循環手段（３）は、洗髪台に対して、取り付け及び取り外し自在とされたことを特徴とする、頭部に対する薬剤散布装置。
【請求項２】
サーバタンク（２）は、洗髪台のボウル（Ｂ）における排水口（Ｄ）に取り付けられることにより、上記ノズル（１）からの散布後に上記ボウル（Ｂ）を流れた薬剤を回収できるものであって、
薬剤貯留部（２２）と濾過部（２３）とを備え、
上記濾過部（２３）にて、薬剤（Ｌ）に混入した毛髪などの不純物を除去した上で、薬剤（Ｌ）を上記薬剤貯留部（２２）に貯留することを特徴とする、請求項１に記載の、頭部に対する薬剤散布装置。
【請求項３】
サーバタンク（２）は、上記の排水口（Ｄ）を覆うことのできる覆い部（２１）と、
覆い部（２１）の上方に設けられた薬剤導入口（２ａ）と、
覆い部（２１）の下方に設けられた挿入部（２ｂ）とを備え、
上記の薬剤貯留部（２２）は上記の挿入部（２ｂ）に設けられたものであり、
上記の濾過部（２３）は、上記の薬剤貯留部（２２）よりも上方に配位されたものであり、
サーバタンク（２）の上記ボウル（Ｂ）に対する取り付けは、上記排水口（Ｄ）を上記の覆い部（２１）で覆い、かつ、排水口（Ｄ）の下部に設けられた排水管接続部（Ｊ）の内部へ挿入部（２ｂ）を挿入することによりなされるものであり、
循環手段（３）は、洗面台の一部に固定が可能な外付け用固定部（３１）を備え、
サーバタンク（２）と循環手段（３）との間、及び、循環手段（３）とノズル（１）との間とが連結ホース（４）によって連結されたものであり、
サーバタンク（２）と循環手段（３）との間の連結ホース（４）が上記ボール（Ｂ）の内面（Ｂ２）に沿うように配位されることを特徴とする、請求項２に記載の、頭部に対する薬剤散布装置。
【請求項４】
上記のサーバタンク（２）からノズル（１）へと至る薬剤流路の一部に、薬剤（Ｌ）を暖めるためのヒータが設けられたことを特徴とする、請求項１から３のいずれかに記載の、頭部に対する薬剤散布装置。
【発明の詳細な説明】
【技術分野】
【０００１】
本願発明は、理美容室等において使用される、被施術者の頭部に対する薬剤散布装置に関するものである。
【背景技術】
【０００２】
【特許文献１】登録実用新案第３０８９６３６号公報
【０００３】
理美容室等においては、本願出願人による特許文献１のような、頭部に対する薬剤散布装置が用いられることがある。これは、トリートメント剤や育毛剤等の薬剤を循環させ、この装置の上部に位置させた被施術者の頭部に薬剤を振り掛けることにより施術する装置である。
【０００４】
特許文献１に係る装置１０１を図５に示す。この装置１０１には、受け皿であるトレー部１０４が上部に設けられており、トレー部１０４にはホース１３１に接続されたノズル１３２が備えられ、装置１０１の内部には貯液タンクや循環ポンプ等が設けられており（図示しない）、薬剤を循環させてノズル１３２から吐出させ、そして吐出された薬剤は、トレー部１０４に集められて再び循環するようになっている。
そして施術にあっては、被施術者が背もたれの倒れる椅子に座り、椅子の後方（被施術者の背面側）に置かれた、装置１０１のトレー部１０４の上部に被施術者の頭部を位置させ、ノズル１３２から吐出される薬剤を頭髪や頭皮に塗布することによって施術がなされる。
【発明の開示】
【発明が解決しようとする課題】
【０００５】
ところで、理美容室の店内は一般的に狭いため、上記のような専用の薬剤散布装置を用いた場合は、使用しない場合の保管場所に困ることがあった。また、使用の際にあっても、保管場所から被施術者のそばまで移動させてくる際に、他の店内の備品を避けて移動させる必要があり面倒であった。
【０００６】
上記の問題に鑑み、本願発明は、比較的簡単な構成であって、保管場所をとらず、かつ、持ち運びが容易な薬剤散布装置を提供することを課題とする。
【課題を解決するための手段】
【０００７】
上記課題を解決するために、本願の請求項１に記載の発明は、薬剤Ｌを被施術者の頭部に散布するためのノズル１と、上記ノズル１から散布された後の薬剤Ｌを回収して貯留することのできるサーバタンク２と、上記サーバタンク２内に貯留された薬剤Ｌを上記ノズル１へと送るための循環手段３とを備え、サーバタンク２及び循環手段３は、洗髪台に対して、取り付け及び取り外し自在とされたことを特徴とする、頭部に対する薬剤散布装置を提供する。
なお、上記の「取り付け及び取り外し」の語句は、洗髪台へ上記の薬剤散布装置を恒久的に、つまり容易には取り外せないようにして組み込む場合の取り付けや取り外しすることを意味として含むものではなく、薬剤散布装置を使用する際に一時的に洗髪台に取り付け、使用後には取り外す、あるいは実際の取り外し作業をせずに取り付けたままの状態とした場合でも、取り外しが可能な状態におくことを意味している。
【０００８】
また、本願の請求項２に記載の発明は、サーバタンク２は、洗髪台のボウルＢにおける排水口Ｄに取り付けられることにより、上記ノズル１からの散布後に上記ボウルＢを流れた薬剤を回収できるものであって、薬剤貯留部２２と濾過部２３とを備え、上記濾過部２３にて、薬剤Ｌに混入した毛髪などの不純物を除去した上で、上記薬剤貯留部２２に貯留することを特徴とする、請求項１に記載の、頭部に対する薬剤散布装置を提供する。
【０００９】
また、本願の請求項３に記載の発明は、サーバタンク２は、上記の排水口Ｄを覆うことのできる覆い部２１と、覆い部２１の上方に設けられた薬剤導入口２ａと、覆い部２１の下方に設けられた挿入部２ｂとを備え、上記の薬剤貯留部２２は上記の挿入部２ｂに設けられたものであり、上記の濾過部２３は、上記の薬剤貯留部２２よりも上方に配位されたものであり、サーバタンク２の上記ボウルＢに対する取り付けは、上記排水口Ｄを上記の覆い部２１で覆い、かつ、排水口Ｄの下部に設けられた排水管接続部Ｊの内部へ挿入部２ｂを挿入することによりなされるものであり、循環手段３は、洗面台の一部に固定が可能な外付け用固定部３１を備え、サーバタンク２と循環手段３との間、及び、循環手段３とノズル１との間とが連結ホース４によって連結されたものであり、サーバタンク２と循環手段３との間の連結ホース４が上記ボールＢの内面Ｂ２に沿うように配位されることを特徴とする、請求項２に記載の、頭部に対する薬剤散布装置を提供する。
なお、上記の外付け用固定部３１とは、洗髪台に分解作業を伴わずに薬剤散布装置を取り付け及び取り外し可能とするための配置手段を言う。
【００１０】
また、本願の請求項４に記載の発明は、上記のサーバタンク２からノズル１へと至る薬剤流路の一部に、薬剤Ｌを暖めるためのヒータが設けられたことを特徴とする、請求項１から３のいずれかに記載の、頭部に対する薬剤散布装置を提供する。
【発明の効果】
【００１１】
本願の請求項１に記載の発明にあっては、ノズル１、サーバタンク２、循環手段３を有する最小構成の装置を洗髪台に取り付け及び取り外し自在としたことにより、保管場所をとらず、かつ、持ち運びが容易な薬剤散布装置を提供できたものである。
【００１２】
また、請求項２に記載の発明にあっては、上記の効果に加え、洗髪台の排水口Ｄを利用して薬剤Ｌを効率良く回収でき、そして、サーバタンク２の濾過部２３にて薬剤Ｌに混入した不純物を除去できることにより、薬剤Ｌを循環使用でき、１回の施術当りの薬剤使用量を抑制できたものである。
【００１３】
また、請求項３に記載の発明にあっては、上記請求項２に記載の発明の効果に加え、排水口Ｄを覆うことのできる覆い部２１と、覆い部２１の下方に設けられた薬剤貯留部２２とにより、ボウルＢの内面Ｂ２を流れた薬剤Ｌを排水管接続部Ｊへと落下させずに、薬剤導入口２ａから薬剤貯留部２２へと導き、有効に回収することができる。また、循環手段３が外付け用固定部３１を備えたものであるため、洗髪台に対して容易に取り付け及び取り外しが可能とされている。
【００１４】
また、請求項４に記載の発明にあっては、上記の効果に加え、薬剤流路の一部にヒータが設けられたことにより、暖めた薬剤を被施術者の頭部に散布でき、快適な使用感を被施術者に与えることができたものである。
【発明を実施するための最良の形態】
【００１５】
次に、図面に基づき本願発明の実施の形態の一例をとりあげて説明する。図１（Ａ）は本例の薬剤散布装置を示す説明図である。また、図１（Ｂ）は本例の薬剤散布装置におけるサーバタンクの構造を示す説明図である。
【００１６】
本例の薬剤散布装置は、図１（Ａ）に示された構成とされており、理美容室で用いられている既存の洗髪台のボウルＢに取り付けて使用するものである。
【００１７】
ここで、上記既存の洗髪台は、例えば図４に示すように、台座Ｓ上にボウルＢが設けられたものであり、ボウルＢの上方に被施術者の頭部を配位させた状態で、洗髪台に設けられたシャワーから水や温水を吐出させて被施術者にシャンプーなどの施術をなすものである。
ボウルＢの底部には排水口Ｄが設けられており、施術後の排水はここから排出される。この排水口Ｄの下方には、排水管Ｆが接続されるが、この排水管Ｆの一部には、下水ガスの逆流を防ぐために、排水管Ｆを屈曲させたり、排水管の端部付近に椀状体を被せることにより、排水の一部を滞留させた機構である排水トラップＴが設けられている。以下、排水口Ｄと排水トラップＴとの間を排水管接続部Ｊと称して説明する。
【００１８】
この薬剤散布装置は、ノズル１、サーバタンク２、循環手段としてのポンプユニット３を備える。そして、ノズル１とポンプユニット３との間、及び、サーバタンク２とポンプユニット３との間とが可撓性の連結ホース４により連結され、これらにより薬剤流路を構成し、サーバタンク２に貯留された薬剤Ｌをポンプユニット３を作動させることにより、連結ホース４を通してノズル１へと送り、ノズル１に設けられた噴出口から噴出させることができる。
【００１９】
サーバタンク２は、洗髪台のボウルＢに対して取り付けが可能とされている。本例では、図１（Ｂ）に示すように、排水口Ｄを覆うことのできる覆い部２１と、覆い部２１の上方に設けられた薬剤導入口２ａと、覆い部２１の下方に設けられた挿入部２ｂとを備えたものである。ここで、上記「覆い部２１の上方」とは、覆い部２１以上の位置を示すものであって、覆い部２１と一致する位置も含むものである。そして、薬剤を貯留可能な部分である薬剤貯留部２２が上記の挿入部２ｂに、濾過部２３が上記の薬剤導入口２ａを上方から覆うようにして設けられている。なお、本例では挿入部２ｂと薬剤貯留部２２とが一致しているが、これに限られず、図２の各図に示すように、挿入部２ｂの一部のみを薬剤貯留部２２としても良い。
上記の構成により、図１（Ａ）に示すように、排水口Ｄの上方から、覆い部２１を排水口Ｄの縁部Ｄ１に引っ掛けた状態として、挿入部２ｂ（薬剤貯留部２２）を排水管接続部Ｊの内部へと挿入できる。
【００２０】
覆い部２１は、本例では薬剤貯留部２２の上端部の外周に、排水口Ｄの縁部Ｄ１の直径よりも、直径が大きく形成された鍔状のものである。そして、覆い部２１の中央には、覆い部２１を貫通して、覆い部２１の下方に存在する薬剤貯留部２２に連通する薬剤導入口２ａが設けられている。そして、この薬剤導入口２ａには、後述するように濾過部２３が設けられる。薬剤導入口２ａの形状は特に限定されるものではなく、円形孔や多角形孔、また、複数の小孔からなるものとしても良い。
上記のように覆い部２１が設けられたことにより、排水管接続部Ｊへ挿入部２ｂが配位された際、排水口Ｄは、図１（Ａ）に示したように、覆い部２１と濾過部２３とにより覆われた状態となる。これにより、ボウルＢの内面Ｂ２を流れた薬剤Ｌを排水管接続部Ｊへと落下させずに、薬剤導入口２ａから薬剤貯留部２２へと導き、有効に回収することができる。なお、図示はしないが、この覆い部２１の下面に樹脂製などのパッキンを設けておき、排水口Ｄと覆い部２１との間の隙間からの薬剤Ｌの漏れを最小限に抑えることのできるものとしても良い。
【００２１】
薬剤貯留部２２は、施術開始の時点において、施術に必要な量の薬剤Ｌをあらかじめ貯留しておく部分であって、本例では円筒状の形態とされており、液状の薬剤Ｌを漏れることなく保持できるものである。
また、施術中においては、この薬剤貯留部２２に貯留されていた薬剤Ｌは、ポンプユニット３により吸い取られ、連結ホース４を通りノズル１から散布されて、ボウルＢ上に配位された被施術者の頭部に塗布される。そして、被施術者の頭部から洗髪台のボウルＢの内面Ｂ２に落下した余剰の薬剤Ｌは、濾過部２３を通過して再び薬剤貯留部２２に貯留されて再利用される。
【００２２】
濾過部２３は、本例においては、薬剤貯留部２２の薬剤導入口２ａの上部を、全周にわたって覆うように設けられた目の細かい網であるが、濾過部２３を設ける位置は、本例のものに限定されるものではなく、図２（Ａ）〜（Ｃ）に示すように、挿入部２ｂの内部に設けても良い。つまり、薬剤貯留部２２よりも上方に配位されており、濾過部２３を通過した後の薬剤Ｌを薬剤貯留部２２に貯留可能とされていれば設ける位置は問わない。また、濾過部２３の網の目の大きさは、被施術者の頭部から抜けた毛髪の通過を妨害できる程度のものとすれば良い。
この濾過部２３により、ノズル１から頭部に噴射された後にボウルＢに落下した薬剤を、毛髪などの不純物を除去した上で薬剤貯留部２２で貯留することが可能となっており、ポンプユニット３やノズル１が不純物によって目詰まりする可能性を軽減できる。
【００２３】
ここで、本例のような薬剤散布装置において用いられるトリートメント剤や育毛剤等の薬剤Ｌは、一般的に用いられるパーマ液やヘアカラー剤などにくらべ非常に高価なものが多く、出来るだけ少ない量で効率的に循環散布できる装置が望まれていたが、本例のような薬剤散布装置は、上記のように薬剤貯留部２２に貯留した薬剤を、何度も循環させて被施術者の頭部に噴射することができるため、既存の洗髪器に容易に取り付けできるという簡易な構造でありながら、少ない薬剤にて効果的に頭部に散布できる装置であって、大変経済的である。
【００２４】
ここで、サーバタンク２については、図１（Ａ）に示した形態に限られるものではない。例えば、図２（Ａ）に示したように、平板状の網からなる濾過部２３を設けたもの、図２（Ｂ）に示したように、挿入部２ｂの内部に嵌めこむようにして配位できる濾過部２３を設けたもの、また、図２（Ｃ）に示したように、サーバタンク２の側面を下すぼみのテーパ状に形成することにより、この側面の一部を覆い部２１として用いたもの、また、図３（Ａ）に示したように、覆い部２１をゴムなどの軟質樹脂からなるものとし、覆い部２１を変形させ、排水管接続部Ｊの内周面Ｊ１に密着させることにより、サーバタンク２全体を排水管接続部Ｊに配位可能なもの、図３（Ｂ）に示すように、サーバタンク２の少なくとも排水管接続部Ｊの内周面Ｊ１に面する外面を、内周面Ｊ１に密着可能な風船状体などの軟質なもので形成し、サーバタンク２自体が覆い部２１の作用を果たすようにしたもの、図３（Ｃ）に示すように、排水口Ｄの縁部Ｄ１に、蓋をねじ込むためのねじ山が形成されている場合に、このねじ山にねじ込みが可能なように外周にねじ山を形成した覆い部２１を設けたものなど、種々の形態での実施が可能である。
また、覆い部２１、薬剤貯留部２２、濾過部２３は、それぞれが清掃などに支障がないような構造とされていれば、それぞれが溶接などの手段によって分解不能に固定されたものとしても良いし、また、ねじ込みなどの手段によって分解可能に固定されたものとしても良い。
【００２５】
ポンプユニット３は、内部にポンプを内蔵したものであって、このポンプを作動させることにより、サーバタンク２の薬剤貯留部２２に貯留された薬剤Ｌをノズル１へと圧送可能なものである。このポンプユニット３には、図示はしないが、他に、トランス、スイッチ類、異常時に作動する安全装置、タイマー、フィルターなど、種々のものを設けることができる。
【００２６】
また、このポンプユニット３に限られたものではないが、サーバタンク２からノズル１へと至る薬剤流路の一部に、薬剤Ｌを暖めるためのヒータ（図示しない）を設けても良い。これにより、暖めた薬剤Ｌを被施術者の頭部に散布でき、快適な使用感を被施術者に与えることができる。
【００２７】
本例のポンプユニット３には外付け用固定部３１が設けられており、これにより、洗髪台に対して容易に取り付け及び取り外しが可能とされている。この外付け用固定部３１は、本例では、図１（Ａ）に示すように、ボウルＢの上端縁Ｂ１に引っ掛けるようにして取り付け可能なものとされている。
この外付け用固定部３１としては、ボウルＢの上端縁Ｂ１に引っ掛けるための「コ」の字状や「Ｕ」字状の引掛け金具によるもの、クリップ等、ばねの力によってボウルＢの上端縁Ｂ１を挟むもの、クランプ等、ねじの締め込みによってボウルＢの上端縁Ｂ１を挟むもの、その他、吸盤や面ファスナーや磁石を用い、ボウルＢの内面Ｂ２や外面Ｂ３に取り付けるもの等、種々の手段で実施し得る。また、ポンプユニット３の取り付け場所についても、本例のようにボウルＢに限られるものではなく、洗髪台のケーシングや台座Ｓ（図４参照）、また、洗髪台に付属した棚や鏡台などボウルＢ以外の洗髪台の一部に取り付けても良いし、ポンプユニット３を全く固定させずに、洗髪台の一部に単に置くだけのものとしても良い。
【００２８】
ノズル１は、ポンプユニット３と連結ホース４によって連結されたものであって、薬剤Ｌを外部にシャワー状に散布可能な噴射口が設けられたものである。連結ホース４は可撓性の素材からなるものであるため、洗髪台のボウルＢ内に配位された被施術者の頭部に対してノズル１を自在に移動させて施術できる。
【００２９】
また、連結ホース４は、本例においては、濾過部２３を貫通して薬剤貯留部２２に下端部が配位されたものであり、ボールＢの内面Ｂ２に沿うように配位されるものであるが、これに限られず、図１（Ａ）（Ｂ）に破線で示したように、薬剤貯留部２２の底部などに直接取り付けたものとしても良い。
【００３０】
本例では、上記のように、ノズル１、サーバタンク２、ポンプユニット３のそれぞれを別個の構成としたが、この構成に限られるものではなく、例えば、サーバタンク２とポンプユニット３とを一体としたり、ポンプユニット３とノズル１とを一体とするなど、種々の形態での実施が可能である。
【図面の簡単な説明】
【００３１】
【図１】（Ａ）は本例の薬剤散布装置を示す説明図であり、（Ｂ）は本例の薬剤散布装置におけるサーバタンクの構造を示す説明図である。
【図２】（Ａ）〜（Ｃ）共、サーバタンクの他の例を示す説明図である。
【図３】（Ａ）〜（Ｃ）共、サーバタンクの他の例を示す説明図である。
【図４】既存の洗髪台の一例を示す説明図である。
【図５】従来のパーマ装置の使用状態を示す説明図である。
【符号の説明】
【００３２】
１      ノズル
２      サーバタンク
２ａ    薬剤導入口
２ｂ    挿入部
２１    覆い部
２２    薬剤貯留部
２３    濾過部
３      循環手段、ポンプユニット
３１    外付け用固定部
４      連結ホース
Ｂ      洗髪台のボウル
Ｂ２    ボウルの内面
Ｄ      排水口
Ｊ      排水管接続部
Ｌ      薬剤
【図１】
2006000441.tif 000003
【図２】
2006000441.tif 000004
【図３】
2006000441.tif 000005
【図４】
2006000441.tif 000006
【図５】
2006000441.tif 000007